(57)【特許請求の範囲】
【請求項１】
燃料を貯蔵する燃料タンクを有するライター本体と、
前記燃料タンクからの流量を制御しつつ燃料を供給する前記ライター本体上部に配設された燃料供給手段と、
前記燃料供給手段に設けたノズルに遊嵌し燃料通路の開閉を幇助するガスレバーと、
前記燃料供給手段のノズルから噴出する燃料に圧電ユニットを操作して点火する点火装置と、
を備え、前記点火装置に設けたレバー押しと当接する前記ガスレバーの当接部の太さを腕部根本部分より先端に行くに従い減少させ、該ガスレバーとレバー押しとの当接で当接部の下方を大きくしならせる程に薄くした圧電式ガスライター。
【発明の詳細な説明】
【０００１】
【発明の属する技術分野】
本発明は、着火のため押し下げ操作をする際に燃料の噴出するタイミングに合せて放電し、かつ燃料漏れを防止した圧電式ガスライターに関する。
【０００２】
【従来の技術】
一般に、使い捨ての圧電式ガスライターは、燃料供給手段に設けてあるノズルから燃料ガスを噴出させて点火装置によって着火燃焼させている。この点火操作としては、ライター本体に対して上下部方向に移動する操作部材に配設した圧電ユニットを押し下げ操作することによって、燃料供給手段内のバルブ機構を作動し燃料ガス通路を開けてガスを噴出させるとともに、圧電ユニットで発生した放電火花によって着火している。
【０００３】
燃料ガス通路を開閉させる手段として、ノズルの先端近傍に腕部の一端を挿入し遊嵌させたＬ字形のガスレバーの略中央部を軸支し、他端を圧電ユニットに設けたレバー押しに当設して軸を支点として揺動させるようにしている。
【０００４】
【発明が解決しようとする課題】
ところで、このガスレバーはノズルを持ち上げる力が加わるために充分な剛性を持つように作られており、圧電ユニット押し下げの際にレバー押しと当設するガスレバーの当設部には変形が生起しない。又、燃料供給装置は複数の小さな部品の組み立てによって構成されるとともに、この供給装置はライター本体に螺設したねじ溝に螺着される。
【０００５】
これ等の要因により、燃料供給手段がライター本体に所定位置より下方に螺着された状態にセットされた場合には、ノズルに遊嵌されたガスレバーの腕部が斜め下方に傾斜し、反対に当設部が上方に持ち上げられて圧電ユニットに押し当り、ガスレバーの剛性によって略中央部の支点を中心に揺動してノズルを少し持ち上げてしまい、燃料ガス通路を僅かに開いて常時少量ずつのガスを漏らしてしまうという問題がある。
【０００６】
逆に所定位置より上方に螺着された状態でセットされた場合には、ガスレバーの腕部が斜め上方に傾斜し、当設部は圧電ユニットと離れるように垂直方向へと向う。このときもノズルは僅かに持ち上げられるが燃料ガス通路に配した弁を開くほどの力に至らない。しかし、着火のために操作部材を押下した時に当設部とレバー押しとの接触点が下がって、ノズルを持ち上げるタイミングが遅れ、燃料ガスがノズルから噴出しない間に放電火花が発生し着火できないという問題がある。
【０００７】
本発明はこのような事情に鑑み、ノズルとガスレバーの遊嵌移動量を大きくして、構成部品の寸法誤差や組立て時の誤差によってもガス漏れを生起させず、かつ操作時には確実に着火できるガスライターを提供することを目的とする。
【０００８】
【課題を解決するための手段】
前記課題を解決するための本発明は、燃料を貯蔵する燃料タンクを有するライター本体と、
前記燃料タンクからの流量を制御しつつ燃料を供給する前記ライター本体上部に配設された燃料供給手段と、
前記燃料供給手段に設けたノズルに遊嵌し燃料通路の開閉を幇助するガスレバーと、
前記燃料供給手段のノズルから噴出する燃料に圧電ユニットを操作して点火する点火装置と、
を備え、前記点火装置に設けたレバー押しと当接する前記ガスレバーの当接部の太さを腕部根本部分より先端に行くに従い減少させ、該ガスレバーとレバー押しとの当接で当接部の下方を大きくしならせる程に薄くした。
【０００９】
【発明の効果】
点火装置に設けたレバー押しと当接するガスレバーの当接部の太さを腕部根本部分より先端に行くに従い減少させ、点火操作時に該ガスレバーとレバー押しとの当接で当接部の下方を大きくしならせて鉛直状態迄可能にするようにしたことで、ガスレバーの支点部材や当接部を必要以上に動かさず無理な力が掛かって損傷させることがなく、ガスレバー当接部の剛性を下げてガスレバー腕部と遊嵌したノズルを多く移動させ、点火装置の押圧のタイミングを合わせて着火を良好にすることができる。また、点火装置の押圧と復帰とがスムーズに行えることができる。
【００１０】
【発明の実施の形態】
図１ないし図３に示す本発明の圧電式ガスライター１は、燃料タンク部分２を有するライター本体３と、燃料ガスを噴出するノズル１１を有する燃料供給手段１２と、放電火花を発生させる圧電ユニット２１を被冠し、燃料供給手段１２を作動させる操作キャップ２２とからなる。
【００１１】
ライター本体３は合成樹脂で矩形に成形され、内部にブタンガス等の燃料ガスを貯蔵する燃料タンク部分２と、その上部に中間ケース４が嵌着されてなる。ライター本体３の上部の一方部分にはねじ溝５が螺着され、このねじ溝５に燃料タンク部分２からの燃料ガスの噴出量を制御する公知のバルブ機構を備えた燃料供給手段１２が螺着されている。燃料供給手段１２内部のバルブ機構と接続して燃料ガスの通路を開閉するノズル１１が、中間ケース４から上方に突出している。また、燃料供給手段１２の下部には、中間ケース４を貫通し燃料タンク部分２内に挿入された吸上芯６が配設されている。
【００１２】
中間ケース４上部に配設された燃料供給手段１２と対峙して、圧電ユニット２１を被冠する操作キャップ２２が配設されている。圧電ユニット２１は上方から下方への押下動作により下方に移動しながら、応力を図示しないスプリングに蓄積し、適当な蓄積力に達したとき瞬時にハンマー等を介して圧電素子に蓄積した力を加えるようになっている。この力を受けた圧電素子に分極が生じ、一方は操作キャップ２２の上部内面に取着された放電端子２３に、他方は圧電ユニット２１のケース中間に設けたレバー押し２４から後述するガスレバー３０を通ってノズル１１に夫々流れて、ノズル１１と放電端子２３間に放電火花を発生させてノズル１１からの燃料ガスを着火する。
【００１３】
ノズル１１を上方に慴動させて燃料ガス通路を開放するとともに、一方の電気回路の役割を果たすガスレバー３０は、導電性材料を混入した合成樹脂で略Ｌ字形に成形される。
【００１４】
図２に示すガスレバー３０は腕部３１と当接部３２とからなり、腕部３１の先端部に燃料供給手段１２に設けたノズル１１が貫通する大きさの孔部３３とノズル挿入用切込み部３４が形成してあり、ノズル１１が孔部３３に挿入された場合には、ノズル１１とガスレバー３０とは遊嵌状態となる。腕部３１と当接部３２との屈曲箇所の側壁には、中間ケース４に削設した図示しない溝に挿入される支点部材３５が突出してあり、この支点部材３５を支点として揺動する。
また、腕部３１の根本部分から先端に向かう当接部３２は、押しレバー２４の当接面は平らで裏面の肉厚の太さはしなりを満たすほどの細さに減少させ、前記押しレバー２４と当接することで当接部３２の細くなった部分を大きくしならせる。
【００１５】
ガスレバー３０が中間ケース４に支点部材３５を介して設置されると、支点とノズル１１の間の距離は、支点と圧電ユニット２１の間の距離より大きくなり、当接部３２はタンク側の斜め下方に指向して垂下し、レバー押し２４により押し下げられると支点部材３５を中心に揺動し、腕部３１に遊嵌したノズル１１を持ち上げる。また、当接部３２の当接面は平坦で下面が先端に行くに従って薄くなるように成形されているので、レバー押し２４と当接した当接部３２の先端をしならせることができる。
【００１６】
７は燃料供給手段１２を螺動させて燃料ガスの噴出量を増減させるための回動可能な調整リングであり、８は、燃料ガスと空気とを混合し着火された炎を放出するための火口キャップである。
【００１７】
上記のような構成からなる圧電式ガスライター１につき、その作用を詳細に説明する。
【００１８】
ガスライター１を使用に供さない図１に示す保管状態に保持している時は、ガスレバー３０の当接部３２は圧電ユニット２１に設けたレバー押し２４の下方に位置している為、ノズル１１を持ち上げることはなく燃料ガス通路を開放することはない。この時、燃料供給手段１２がライター本体３に螺着組立てられた際に所定位置より下がってしまった場合、ガスレバー３０のノズル遊嵌部分と支点との間の距離が長くなっているので、ノズル１１の下がりによるガスレバー３０の当接部３２の曲がり角度が小さくなって、当接部３２先端が圧電ユニット２１に強く当ることがないとともに、孔部３３とノズル１１との遊嵌状態における移動量が増加することで、ガスレバー３０の移動によるノズル１１持ち上げを生じることがなく、燃料ガス通路を開放してガス漏れを生起させることはない。
【００１９】
逆に燃料供給装置１２が所定位置より上方に螺着組立てられた場合、従来のガスレバーではノズルに遊嵌した腕部の上方への傾きにより、当接部の下方への傾きが大きくなってガス漏れが生起しなくなるが、使用に際しレバー押しとの接触が遅れてしまったのに対し、本発明においては当接部３２の傾斜度合が小さくなり、操作キャップ２２の押下げによるレバー押し２４の効果に伴う当接部３２との接触も早く、ガスレバー３０の揺動によるノズル１１の持ち上げで燃料ガスを噴出するとともに、圧電ユニット２１を作動して放電火花により着火する。
【００２０】
操作キャップ２２が最下降位置まで押下されると、図３に示すように当接部３２の先端はレバー押し２４によってしなった状態を形成する。
【図面の簡単な説明】
【図１】本発明に係る圧電式ガスライターの断面図である。
【図２】ガスレバーの拡大斜視図である。
【図３】着火操作時におけるガスライターの断面図である
【符号の説明】
１・・・圧電式ガスライター
３・・・ライター本体
１１・・・ノズル
１２・・・燃料供給手段
２１・・・圧電ユニット
２４・・・レバー押し
３０・・・ガスレバー
３１・・・腕部
３２・・・当接部
３５・・・支点部材
【図１】
0003763621.tif 000002
【図２】
0003763621.tif 000003
【図３】
0003763621.tif 000004